(57)【特許請求の範囲】
【請求項１】
ユーザ端末を収容する宅内装置と、前記宅内装置にアクセス網を介して接続される局装置とを備えるネットワークシステムにおいて、
前記宅内装置は第１宅内装置及び第２宅内装置を含み、前記局装置は第１局装置及び第２局装置を含み、
前記第１宅内装置及び前記第１局装置は第１アクセス網を介して接続され、前記第２宅内装置及び前記第２局装置は第２アクセス網を介して接続され、
前記第１局装置及び前記第２局装置は中継網を介して接続され、
前記第１宅内装置と前記第２宅内装置とが前記第１アクセス網、前記中継網、及び前記第２アクセス網を介して一対一で接続され、
前記宅内装置は、
前記ユーザ端末に接続されるユーザ端末インタフェースと、
前記アクセス網に接続されるアクセス網インタフェースと、を備え、
前記ユーザ端末インタフェースは、前記ユーザ端末に信号を送信する第１送信部と前記ユーザ端末からフレームを受信する第１受信部とを有し、
前記アクセス網インタフェースは、前記アクセス網に信号を送信する第２送信部と前記アクセス網からフレームを受信する第２受信部とを有し、
前記アクセス網に送信するフレームに対して送信処理を実行する上りフレーム処理部を備え、
前記ユーザ端末との物理リンクが切断されたか否か、及び自身が接続されたアクセス網との物理リンクが切断されたか否かを判定する物理リンク切断判定部と、
前記物理リンク切断判定部によって前記ユーザ端末との物理リンクが切断されたと判定された場合、及び自身が接続されたアクセス網との物理リンクが切断されたと判定された場合、自身を通常モードよりも消費電力が低い低消費電力モードに遷移させ、前記物理リンク切断判定部によって前記ユーザ端末との物理リンクが切断されたと判定された場合、前記中継網を介して一対一で接続される対向する宅内装置に対して、前記低消費電力モードに遷移させる低消費電力モード制御信号を送信する低消費電力モード処理部と、を備え、
前記低消費電力モードは、前記第１送信部、前記第２送信部、及び前記上りフレーム処理部を無効化する第１低消費電力モードと、前記ユーザ端末インタフェース、前記第２送信部、及び前記上りフレーム処理部を無効化する第２低消費電力モードと、を含み、
前記低消費電力モード処理部は、
前記物理リンク切断判定部によって前記ユーザ端末との物理リンクが切断されたと判定された場合、自身を前記第１低消費電力モードに遷移させ、前記低消費電力モード制御信号を送信し、
前記物理リンク切断判定部によって自身が接続されたアクセス網との物理リンクが切断されたと判定された場合、自身を前記第２低消費電力モードに遷移させ、
他方の宅内装置から前記低消費電力モード制御信号を受信した場合、自身を前記第１低消費電力モードに遷移させることを特徴とするネットワークシステム。
【請求項２】
前記宅内装置は、
前記局装置及び前記他方の宅内装置に対して監視信号を所定周期で前記第２送信部から送信する監視信号送信部と、
前記第２受信部が前記他方の宅内装置からの前記監視信号を前記所定周期よりも長い所定時間受信しない場合、当該宅内装置と前記他方の宅内装置との間の通信経路の異常を検出する第１異常検出部と、を備え、
前記監視信号送信部は、前記宅内装置が前記低消費電力モードに遷移した場合、前記監視信号を送信できない状態となり、
前記局装置は、前記監視信号を前記所定周期よりも長い所定時間受信していない場合、当該局装置と当該局装置に前記アクセス網を介して接続された前記宅内装置との間の通信経路の異常を検出する第２異常検出部を備え、
前記第１異常検出部は、前記第２受信部が前記低消費電力モード制御信号を受信した場合、前記通信経路の異常の検出を停止し、
前記低消費電力モード処理部は、前記物理リンク切断判定部によって前記ユーザ端末との物理リンクが切断されたと判定された場合、当該宅内装置に前記アクセス網を介して接続される前記局装置に備わる前記第２異常検出部に前記通信経路の異常の検出を停止させる低消費電力モード通知信号を当該局装置に送信し、
前記第２異常検出部は、前記低消費電力モード通知信号を受信した場合、前記通信経路の異常の検出を停止することを特徴とする請求項１に記載のネットワークシステム。
【請求項３】
前記低消費電力モード処理部は、前記宅内装置を前記第１低消費電力モードに遷移させる前に、前記低消費電力モード制御信号を前記他方の宅内装置に複数回送信し、前記低消費電力モード通知信号を前記局装置に複数回送信することを特徴とする請求項２に記載のネットワークシステム。
【請求項４】
前記低消費電力モード処理部は、前記ユーザ端末との物理リンクが回復した場合、前記無効化した前記第１送信部、前記第２送信部、及び前記上りフレーム処理部を有効化することによって、前記低消費電力モードから前記通常モードに遷移させ、
前記監視信号送信部は、前記第２送信部が有効化された場合、前記監視信号の送信を再開し、
前記低消費電力モード処理部は、前記宅内装置が前記通常モードに遷移したことを示す前記低消費電力モード制御信号を前記他方の宅内装置に対して前記第２送信部から送信し、
前記他方の宅内装置に備わる前記低消費電力モード処理部は、前記監視信号又は前記通常モードに遷移したことを示す前記低消費電力モード制御信号を受信した場合、前記第１低消費電力モードから前記通常モードに遷移させることを特徴とする請求項２に記載のネットワークシステム。
【請求項５】
前記宅内装置は、一つの前記ユーザ端末を収容するポートを複数備え、
前記ポートは、前記ユーザ端末インタフェース及び前記上りフレーム処理部を備え、
前記ポートには少なくとも一つのＶＬＡＮが設定可能であり、
前記宅内装置は、前記ポートに接続されたユーザ端末の識別子に対応する一つのＶＬＡＮを選択し、前記選択したＶＬＡＮの識別子を含むフレームを前記第２送信部から送信し、
前記宅内装置は、前記ＶＬＡＮの識別子を含む信号を第２受信部から受信した場合、前記信号に含まれるＶＬＡＮの識別子によって特定されるＶＬＡＮが選択されているポートに当該フレームを送信し、
前記物理リンク切断判定部は、前記ユーザ端末と前記ポートとの物理リンクが切断されたか否かを判定し、
前記低消費電力モード処理部は、
前記物理リンク切断判定部によって前記ユーザ端末との物理リンクが切断されたと判定された場合に、前記ユーザ端末との物理リンクが切断されたポートの前記第１送信部、及び当該ポートに備わる上りフレーム処理部を無効化し、
前記ユーザ端末との物理リンクが切断されたポートに設定可能なＶＬＡＮの識別子を含む前記低消費電力モード制御信号を送信し、
前記低消費電力モード制御信号を受信した場合、前記受信した低消費電力モード制御信号に含まれるＶＬＡＮの識別子のポートの前記第１送信部、及び当該ポートに備わる上りフレーム処理部を無効化し、
自身に備わるすべてのポートの第１送信部及び上りフレーム処理部が無効化されている場合、前記アクセス網インタフェースに備わる前記第２送信部を無効化することによって、前記第１低消費電力モードに遷移させることを特徴とする請求項２に記載のネットワークシステム。
【請求項６】
前記低消費電力モード処理部は、
自身に備わるポートに設定可能なすべてのＶＬＡＮの識別子を含む前記低消費電力モード制御信号を受信している場合、前記ポートの前記第１送信部、及び当該ポートに備わる上りフレーム処理部を無効化することを特徴とする請求項５に記載のネットワークシステム。
【請求項７】
前記ＶＬＡＮの識別子を含む信号は、ＶＬＡＮタグ付きのイーサネットフレームを使用することを特徴とする請求項５に記載のネットワークシステム。
【請求項８】
前記低消費電力モード制御信号及び前記低消費電力モード通知信号は、ＩＴＵ−Ｔ勧告Ｙ．１７３１に規定されたイーサネットＯＡＭのＶＳＭフレームを使用し、
前記監視信号は、ＩＴＵ−Ｔ勧告Ｙ．１７３１に規定されたイーサネットＯＡＭのＣＣフレームを使用することを特徴とする請求項２に記載のネットワークシステム。
【発明の詳細な説明】
【技術分野】
【０００１】
本発明は、消費電力を制御可能な宅内装置を備えるネットワークシステムに関し、特に、一対一で接続される宅内装置を備えるネットワークに関する。
【背景技術】
【０００２】
従来、ブロードバンド・サービスであるＦＴＴＨ(Fiber To The Home）向けのアクセス網は、ＡＴＭ技術に基づいて構築されてきたが、近年では、ＦＴＴＨ向けのアクセス網も、イーサネット（登録商標、以下同じ）の技術が使用されるようになってきている。ＬＡＮ（Local Area Network）向けに広く普及しているイーサネットの技術をアクセス網に使用することによって、より高速なサービスをより安価に提供できる。
【０００３】
ネットワークシステムにおいては、安定したサービスを提供するために、ユーザ端末に接続される宅内装置と中継網を介して接続される対向側の宅内装置との間（エンド・エンド区間）における運用、保守、及び管理（ＯＡＭ：Operation Administration and Management）が要求される。当該区間の運用、保守、及び管理は、局装置が宅内装置を遠隔で保守、及び監視することによって実現される。
【０００４】
一方、通信速度の向上に伴って、ネットワーク上の機器の消費電力は増大する傾向にある。宅内装置は加入者宅に設置されるが、近年、加入者宅における電子機器類の消費電力を低減させるニーズが高まっており、宅内装置の消費電力を低減することが望まれている。
【０００５】
ＰＯＮ(Passive Optical Network)技術を使用した光アクセスネットワークにおける宅内装置の消費電力の低減に関する技術として、宅内装置と宅内装置に接続されているＯＬＴ(Optical Line Termination)又はＴＥ(Terminal Equipment)との接続状態、及び宅内装置とＯＬＴとの論理リンク状態に基づいて、宅内装置の消費電力を機能ブロック単位で制御することが知られている（例えば、特許文献１参照）。
【先行技術文献】
【特許文献】
【０００６】
【特許文献１】特開２００８−１１３１９３号公報
【発明の概要】
【発明が解決しようとする課題】
【０００７】
特許文献１に記載された技術では、宅内装置とＯＬＴ又はＴＥとの接続状態が非接続になった場合、及び宅内装置とＯＬＴとの論理リンク状態が確立されていない場合、宅内装置は自身を低消費電力モードに制御するが、一方の宅内装置が他方の宅内装置を低消費電力モードに制御するものではない。
【０００８】
ここで、エンド・エンド区間（宅内装置から対向側の宅内装置までの区間）が一対一で接続されたネットワークシステムにおいて、一方の宅内装置がエンド・エンド区間で正常にデータ通信できない状態であれば、対向側の宅内装置もデータ通信できない状態である。
【０００９】
このため、一方の宅内装置がデータ通信できない状態であるにもかかわらず、対向側の宅内装置が通常モードで動作していれば、当該対向側の宅内装置は、無駄な電力を消費してしまう。
【００１０】
そこで、本発明は、一方の宅内装置がデータ通信できない状態であれば、両方の宅内装置を通常モードよりも消費電力が低い低消費電力モードに制御するネットワークシステムを提供することを第１の目的とする。
【００１１】
次に、本発明の第２の目的について説明する。
【００１２】
宅内装置は、局装置に所定周期で監視フレームを送信し、局装置は所定時間監視フレームを受信しない場合、受信信号断警報を検出する。この受信信号断警報は、例えば、宅内装置と局装置との間の伝送路を構成する光ファイバが断線した場合等の伝送路障害の発生時に検出される。このため、受信信号断警報が検出された場合には、受信信号断警報の発生要因が装置間の伝送路障害である可能性が高いため、重大な障害であるため直ちに復旧対策が必要となる。
【００１３】
宅内装置が低消費電力モードに遷移した場合にフレーム送信部が無効化されるので、フレーム送信部からフレームが送信されなくなる。このため、宅内装置は所定周期で監視フレームを送信できない。したがって、局装置は、監視フレームを受信しないので、伝送路障害が発生していないのにもかかわらず、受信信号断警報を検出してしまう。
【００１４】
ネットワークシステムの管理者は、受信信号断警報が検出された場合、当該受信信号断警報は伝送路障害に起因するのか、宅内装置が低消費電力モードに制御されたことに起因するのかを判定しなければならず、ネットワークシステムの保守が煩雑となってしまう。
【００１５】
このため、本発明は、ネットワークシステムの管理者が受信信号断警報の原因を判定しなくてもよく、保守作業が簡単なネットワークシステムを提供することを目的とする。
【課題を解決するための手段】
【００１６】
本発明の代表的な一例を示せば、ユーザ端末を収容する宅内装置と、前記宅内装置にアクセス網を介して接続される局装置とを備えるネットワークシステムにおいて、前記宅内装置は第１宅内装置及び第２宅内装置を含み、前記局装置は第１局装置及び第２局装置を含み、前記第１宅内装置及び前記第１局装置は第１アクセス網を介して接続され、前記第２宅内装置及び前記第２局装置は第２アクセス網を介して接続され、前記第１局装置及び前記第２局装置は中継網を介して接続され、前記第１宅内装置と前記第２宅内装置とが前記第１アクセス網、前記中継網、及び前記第２アクセス網を介して一対一で接続され、前記宅内装置は、前記ユーザ端末に接続されるユーザ端末インタフェースと、前記アクセス網に接続されるアクセス網インタフェースと、を備え、前記ユーザ端末インタフェースは、前記ユーザ端末に信号を送信する第１送信部と前記ユーザ端末からフレームを受信する第１受信部とを有し、前記アクセス網インタフェースは、前記アクセス網に信号を送信する第２送信部と前記アクセス網からフレームを受信する第２受信部とを有し、前記アクセス網に送信するフレームに対して送信処理を実行する上りフレーム処理部を備え、前記ユーザ端末との物理リンクが切断されたか否か、及び自身が接続されたアクセス網との物理リンクが切断されたか否かを判定する物理リンク切断判定部と、前記物理リンク切断判定部によって前記ユーザ端末との物理リンクが切断されたと判定された場合、及び自身が接続されたアクセス網との物理リンクが切断されたと判定された場合、自身を通常モードよりも消費電力が低い低消費電力モードに遷移させ、前記中継網を介して一対一で接続される対向する宅内装置に対して、前記低消費電力モードに遷移させる低消費電力モード制御信号を送信する低消費電力モード処理部と、を備え、前記低消費電力モードは、前記第１送信部、前記第２送信部、及び前記上りフレーム処理部を無効化する第１低消費電力モードと、前記ユーザ端末インタフェース、前記第２送信部、及び前記上りフレーム処理部を無効化する第２低消費電力モードと、を含み、前記低消費電力モード処理部は、前記物理リンク切断判定部によって前記ユーザ端末との物理リンクが切断されたと判定された場合、自身を前記第１低消費電力モードに遷移させ、前記低消費電力モード制御信号を送信し、前記物理リンク切断判定部によって自身が接続されたアクセス網との物理リンクが切断されたと判定された場合、自身を前記第２低消費電力モードに遷移させ、他方の宅内装置から前記低消費電力モード制御信号を受信した場合、自身を前記第１低消費電力モードに遷移させることを特徴とする。
【発明の効果】
【００１７】
本発明によれば、ネットワークシステムの管理者が受信信号断警報の原因を判定しなくてもよく、保守作業が簡単なネットワークシステムを提供できる。
【図面の簡単な説明】
【００１８】
【図１】本発明の第１の実施形態のネットワークシステムの説明図である。
【図２】本発明の第１の実施形態の宅内装置の構成を示すブロック図である。
【図３】本発明の第１の実施形態の局装置の構成を示すブロック図である。
【図４】本発明の第１の実施形態の宅内装置が低消費電力モードへ遷移する場合のシーケンス図である。
【図５】本発明の第１の実施形態の宅内装置が低消費電力モードから通常モードへ遷移する場合のシーケンス図である。
【図６】本発明の第１の実施形態のネットワークシステムで通信されるＣＣフレーム、低消費電力モード通知フレーム、及び低消費電力制御フレームのフォーマット構成の説明図である。
【図７】本発明の第１の実施形態の低消費電力モード制御フレーム及び低消費電力モード通知フレームが宛先の機器へ到達するまでの説明図である。
【図８Ａ】本発明の第２の実施形態のネットワークシステムの説明図である。
【図８Ｂ】本発明の第２の実施形態の宅内装置及び局装置が保持するＶＬＡＮテーブルの説明図である。
【図９】本発明の第２の実施形態のネットワークシステムで送受信されるフレームの説明図である。
【図１０】本発明の第２の実施形態の宅内装置の構成を示すブロック図である。
【図１１】本発明の第２の実施形態の低消費電力モード判定処理部によって実行される低消費電力モード制御処理のフローチャートである。
【図１２】本発明の第２の実施形態の低消費電力モード判定処理部によって実行される低消費電力モード解除処理のフローチャートである。
【図１３】本発明の第２の実施形態の宅内装置１００が保持するＶＬＡＮテーブルの説明図である。
【発明を実施するための形態】
【００１９】
（第１の実施形態）
以下、本発明の第１の実施形態を図１〜図７を用いて説明する。
【００２０】
図１は、本発明の第１の実施形態のネットワークシステムの説明図である。
【００２１】
本ネットワークシステムは、ユーザ端末１０４Ａ及び１０４Ｂ（以下、総称してユーザ端末１０４という）、宅内装置１００Ａ及び１００Ｂ（以下、総称して宅内装置１００という）、局装置１０１Ａ及び１０１Ｂ（以下、総称して局装置１０１という）を備える。
【００２２】
宅内装置１００は、ユーザ端末１０４を収容する。宅内装置１００Ａ及び局装置１０１Ａはアクセス網１０２Ａを介して接続され、宅内装置１００Ｂ及び局装置１０１Ｂはアクセス網１０２Ｂを介して接続される。なお、アクセス網１０２Ａ及び１０２Ｂを総称してアクセス網１０２という。また、局装置１０１Ａ及び１０１Ｂは中継網１０３を介して接続される。
【００２３】
宅内装置１００Ａは、宅内装置１００Ｂに対して中継網１０３を介して一対一で接続される。換言すれば、宅内装置１００Ａ及び宅内装置１００Ｂは中継網１０３を介して対向設置される。
【００２４】
宅内装置１００及び局装置１０１は、ＩＴＵ−Ｔ勧告Ｙ．１７３１に規定されるイーサＯＡＭ機能を備える。局装置１０１は、イーサＯＡＭフレームを用いて、宅内装置１００が制御可能な状態にあるかを監視する。
【００２５】
イーサＯＡＭフレームを終端するノードはＭＥＰ(MEG End Point)と定義され、イーサＯＡＭフレームを中継するノードはＭＩＰ(MEG Intermediate Point)と定義される。図７で詳細を説明するが、各ＭＥＰにはＭＥＧ(Maintenance Entity Group)レベルが設定され、同じＭＥＧレベルとなるＭＥＰ区間が監視区間となる。ＭＥＧレベルの設定によって、監視区間をアクセス網１０２、中継網１０３、及びエンド・エンド区間等任意に設定できる。
【００２６】
ネットワークシステムのユーザ端末１０４を含まない場合のエンド点（宅内装置１００）間の品質確認には、ＩＴＵ−Ｔ勧告Ｙ．１７３１に規定されるＥＴＨ−ＣＣ（Ethernet Continuity Check）（Ethernetは登録商標）機能が使用される。具体的には、宅内装置１００と局装置１０１とのセグメント区間、及び宅内装置１００と対向する宅内装置１００とのエンド・エンド間で、ＣＣフレームを周期的かつ連続的に送受することによって、通信経路の正常性が監視される。
【００２７】
宅内装置１００及び局装置１０１は、他の装置に対して所定時間間隔でＣＣフレームを送信し、他の装置からＣＣフレームを受信することによって通信経路の正常性を確認する。
【００２８】
宅内装置１００及び局装置１０１は、他の装置からＣＣフレームを所定時間連続で受信しなかった場合、通信警報としてＬＯＣ（Loss Of Continuity）警報を検出する。ＩＴＵ−Ｔ勧告Ｙ.１７３１では、宅内装置１００及び局装置１０１がＣＣフレームを３．５周期連続で受信しなければ、ＬＯＣ警報を検出することが規定されている。
【００２９】
図２は、本発明の第１の実施形態の宅内装置１００の構成を示すブロック図である。
【００３０】
宅内装置１００は、アクセス網インタフェース部２００、上りフレーム処理部２０４、低消費電力モード判定処理部２０５、下りフレーム処理部２０６、ユーザ端末インタフェース部２０８、及び表示部２１１を備える。
【００３１】
アクセス網インタフェース部２００は、宅内装置１００とアクセス網１０２との間でフレームを送受信するためのインタフェースであり、宅内装置１００とアクセス網１０２との物理リンク状態を監視する。
【００３２】
アクセス網インタフェース部２００は、アクセス網１０２にフレームを送信する送信部２０１、及びアクセス網１０２からフレームを受信する受信部２０２を備える。
【００３３】
また、アクセス網インタフェース部２００が送受信するフレームは、ユーザ端末１０４から送信されたユーザフレーム又はイーサＯＡＭフレームである。
【００３４】
ユーザ端末インタフェース部２０８は、ユーザ端末１０４との間でフレームを送受信するためのインタフェースであり、宅内装置１００とユーザ端末１０４との物理リンク状態を監視する。
【００３５】
ユーザ端末インタフェース部２０８は、ユーザ端末１０４にフレームを送信する送信部２１０、及びユーザ端末１０４からフレームを受信する受信部２０９を備える。
【００３６】
上りフレーム処理部２０４は、ユーザ端末インタフェース部２０８から入力されたフレームをアクセス網インタフェース部２００に出力するか否かを決定する。
【００３７】
具体的には、上りフレーム処理部２０４は、ユーザ端末インタフェース部２０８から入力されたフレームがユーザフレームであるか、イーサＯＡＭフレームであるかを判定する。
【００３８】
ユーザ端末インタフェース部２０８から入力されたフレームがユーザフレームである場合、ユーザフレームは対向する宅内装置１００を宛先とするので、上りフレーム処理部２０４は、当該ユーザフレームをアクセス網インタフェース部２００の送信部２０１へ出力する。
【００３９】
一方、ユーザ端末インタフェース部２０８から入力されたフレームがイーサＯＡＭフレームである場合、上りフレーム処理部２０４は、イーサＯＡＭフレームに含まれるＭＥＧレベルに基づいて、当該イーサＯＡＭフレームを終端させるか、アクセス網インタフェース部２００に出力するかを決定するイーサＯＡＭ処理を実行する。
【００４０】
イーサＯＡＭ処理について、詳細に説明する。
【００４１】
イーサＯＡＭフレームに含まれるＭＥＧレベルが宅内装置１００に設定されたＭＥＧレベルよりも大きい場合、上りフレーム処理部２０４は、当該イーサＯＡＭフレームをアクセス網インタフェース部２００の送信部２０１へ出力する。
【００４２】
一方、イーサＯＡＭフレームに含まれるＭＥＧレベルが宅内装置１００に設定されたＭＥＧレベルと一致する場合、上りフレーム処理部２０４は、当該イーサＯＡＭフレームを終端させる。イーサＯＡＭフレームに含まれるＭＥＧレベルが宅内装置１００に設定されたＭＥＧレベル未満である場合、上りフレーム処理部２０４は、当該イーサＯＡＭフレームを破棄する。
【００４３】
下りフレーム処理部２０６は、アクセス網インタフェース部２００から入力されたフレームをユーザ端末インタフェース部２０８に出力するか低消費電力モード判定処理部２０５に出力するかを決定する。
【００４４】
アクセス網インタフェース部２００から入力されたフレームがユーザフレームである場合、ユーザフレームは対向するユーザ端末１０４を宛先とするので、下りフレーム処理部２０６は、当該ユーザフレームをユーザ端末インタフェース部２０８の送信部２１０へ出力する。
【００４５】
一方、アクセス網インタフェース部２００から入力されたフレームがイーサＯＡＭフレームである場合、下りフレーム処理部２０６は、当該イーサＯＡＭフレームを解析し、当該イーサＯＡＭフレームが図４で説明する低消費電力モード通知フレーム又は低消費電力モード制御フレームであるか否かを判定する。
【００４６】
イーサＯＡＭフレームが低消費電力モード通知フレーム又は低消費電力モード制御フレームである場合、下りフレーム処理部２０６は、当該イーサＯＡＭフレームを低消費電力モード判定処理部２０５に出力する。
【００４７】
イーサＯＡＭフレームが低消費電力モード通知フレーム又は低消費電力モード制御フレームでない場合、イーサＯＡＭフレームに含まれるＭＥＧレベルに基づいて、当該イーサＯＡＭフレームを終端させるか、ユーザ端末インタフェース部２０８に出力するかを決定するイーサＯＡＭ処理を実行する。
【００４８】
具体的には、イーサＯＡＭフレームに含まれるＭＥＧレベルが宅内装置１００に設定されたＭＥＧレベルよりも大きい場合、下りフレーム処理部２０６は、当該イーサＯＡＭフレームをユーザ端末インタフェース部２０８の送信部２１０へ出力する。
【００４９】
一方、イーサＯＡＭフレームに含まれるＭＥＧレベルが宅内装置１００に設定されたＭＥＧレベルと一致する場合、下りフレーム処理部２０６は、当該イーサＯＡＭフレームを終端させる。イーサＯＡＭフレームに含まれるＭＥＧレベルが宅内装置１００に設定されたＭＥＧレベル未満である場合、下りフレーム処理部２０６は、当該イーサＯＡＭフレームを破棄する。
【００５０】
低消費電力モード判定処理部２０５は、ユーザ端末インタフェース部２０８によるユーザ端末１０４との物理リンク状態の監視結果、及び、下りフレーム処理部２０６から入力された低消費電力モード制御フレームに基づいて、宅内装置１００の消費電力モードを制御する。
【００５１】
宅内装置１００の消費電力モードには、通常モードと低消費電力モードとがあり、低消費電力モードの場合の宅内装置１００の消費電力は通常モードの場合の宅内装置１００の消費電力よりも低くなる。
【００５２】
低消費電力モード判定処理部２０５は、ユーザ端末インタフェース部２０８によるユーザ端末１０４との物理リンク状態の監視結果が物理リンクの切断を示す場合、又は、低消費電力モードに遷移させる低消費電力モード制御フレームを受信した場合、上りフレーム処理部２０４、アクセス網インタフェース部２００の送信部２０１、及びユーザ端末インタフェース部２０８の送信部２１０を停止（無効化）する。
【００５３】
具体的には、宅内装置１００は、低消費電力モード時に停止される上りフレーム処理部２０４、アクセス網インタフェース部２００の送信部２０１、及びユーザ端末インタフェース部２０８の送信部２１０に接続される図示しないイネーブル回路を備える。イネーブル回路は、低消費電力モード時に上りフレーム処理部２０４、アクセス網インタフェース部２００の送信部２０１、及びユーザ端末インタフェース部２０８の送信部２１０にディゼーブル信号を出力することによって、これらを停止する。
【００５４】
なお、イネーブル回路によらずとも、低消費電力モード時に、上りフレーム処理部２０４、アクセス網インタフェース部２００の送信部２０１、及びユーザ端末インタフェース部２０８の送信部２１０に電力を供給しないようにしてもよい。
【００５５】
低消費電力モード判定処理部２０５は、ユーザ端末インタフェース部２０８によるユーザ端末１０４との物理リンク状態の監視結果が物理リンクの回復を示す場合、又は、通常モードに遷移させる低消費電力モード制御フレームを受信した場合、停止していた上りフレーム処理部２０４、アクセス網インタフェース部２００の送信部２０１、及びユーザ端末インタフェース部２０８の送信部２１０を再稼働させ、通常モードに遷移させる。
【００５６】
低消費電力モードであっても、アクセス網インタフェース部２００の受信部２０２、下りフレーム処理部２０６、及びユーザ端末インタフェース部２０８の受信部２０９を停止させない理由について説明する。
【００５７】
ユーザ端末インタフェース部２０８の受信部２０９を停止させない理由は、ユーザ端末１０４との物理リンク状態を低消費電力モード中にも監視させるためである。また、アクセス網インタフェース部２００の受信部２０２、及び下りフレーム処理部２０６を停止させない理由は、通常モードに遷移させる低消費電力モード制御フレームを低消費電力モード中にも受信可能とするためである。すなわち、本実施形態では、低消費電力モード中であっても、低消費電力モードから通常モードへ遷移する条件を判定するに必要な機能ブロックは機能を停止させない。
【００５８】
低消費電力モード判定処理部２０５は、宅内装置１００が低消費電力モードに遷移する場合、低消費電力モードに遷移する前に、局装置１０１に宅内装置１００が低消費電力モードに遷移することを通知する低消費電力モード通知フレーム、及び、対向する宅内装置１００を低消費電力モードに遷移させる低消費電力モード制御フレームをアクセス網１０２に送信する。
【００５９】
具体的には、低消費電力モード判定処理部２０５は、低消費電力モード通知フレーム及び低消費電力モード制御フレームを上りフレーム処理部２０４に出力する。
【００６０】
上りフレーム処理部２０４は、低消費電力モード通知フレーム及び低消費電力モード制御フレームが入力された場合、入力された低消費電力モード通知フレーム及び低消費電力モード制御フレームをユーザ端末インタフェース部２０８から入力されたユーザフレームと多重化して、アクセス網インタフェース部２００の送信部２０１を介して送信する。
【００６１】
なお、低消費電力モード通知フレームは局装置１０１に送信され、低消費電力モード制御フレームは対向する宅内装置１００に送信される。
【００６２】
なお、低消費電力モード中に機能を停止するアクセス網インタフェース部２００の送信部２０１、及びユーザ端末インタフェース部２０８の送信部２１０は、例えば、ＩＥＥＥ８０２．３で規定される１０００ＢＡＳＥ−ＳＸ等の光インタフェースに備わり、電気と光とを変換する光送信部に相当する。
【００６３】
また、表示部２１１は、宅内装置１００がどのモードで稼働しているかをユーザに報知するものであり、例えば、ＬＥＤ等である。表示部２１１は、低消費電力モード実行中は通常モード実行中の色（例えば緑色）と異なる色（例えば橙色）で点灯するように低消費電力モード判定処理部２０５によって制御される。
【００６４】
図３は、本発明の第１の実施形態の局装置１０１の構成を示すブロック図である。
【００６５】
局装置１０１は、アクセス網インタフェース部３０８、上りフレーム処理部３０４、中継網インタフェース部３００、下りフレーム処理部３０６、及び低消費電力モード判定処理部３０５を備える。
【００６６】
中継網インタフェース部３００は、中継網１０３との間でフレームを送受信するためのインタフェースである。なお、中継網インタフェース部３００が中継網１０３との間で送受信するフレームは、ユーザフレーム又はイーサＯＡＭフレームである。
【００６７】
アクセス網インタフェース部３０８は、アクセス網１０２との間でフレームを送受信するためのインタフェースである。なお、アクセス網インタフェース部３０８がアクセス網１０２との間で送受信するフレームは、ユーザフレーム又はイーサＯＡＭフレームである。
【００６８】
上りフレーム処理部３０４は、アクセス網インタフェース部３０８から入力されたフレームを中継網インタフェース部３００に出力するか、低消費電力モード判定処理部３０５に出力するかを決定する。
【００６９】
具体的には、上りフレーム処理部３０４は、アクセス網インタフェース部３０８から入力されたフレームがイーサＯＡＭフレームであるか、ユーザフレームであるかを判定する。
【００７０】
アクセス網インタフェース部３０８から入力されたフレームがユーザフレームである場合、上りフレーム処理部３０４は、当該フレームを中継網インタフェース部３００へ出力する。
【００７１】
一方、アクセス網インタフェース部３０８から入力されたフレームがイーサＯＡＭフレームである場合、上りフレーム処理部３０４は、当該フレームのペイロードを解析して、当該フレームが低消費電力モード通知フレームであるか否かを判定する。
【００７２】
アクセス網インタフェース部３０８から入力されたフレームが低消費電力モード通知フレームであると判定された場合、上りフレーム処理部３０４は、当該フレームを低消費電力モード判定処理部３０５に出力する。
【００７３】
一方、アクセス網インタフェース部３０８から入力されたフレームが低消費電力モード通知フレームでないと判定された場合、上りフレーム処理部３０４は、イーサＯＡＭ処理を実行する。
【００７４】
具体的には、イーサＯＡＭフレームに含まれるＭＥＧレベルが局装置１０１に設定されたＭＥＧレベルよりも大きい場合、上りフレーム処理部３０４は、当該イーサＯＡＭフレームを中継網インタフェース部３００へ出力する。
【００７５】
一方、イーサＯＡＭフレームに含まれるＭＥＧレベルが局装置１０１に設定されたＭＥＧレベルと一致する場合、上りフレーム処理部３０４は、当該イーサＯＡＭフレームを終端させる。イーサＯＡＭフレームに含まれるＭＥＧレベルが局装置１０１に設定されたＭＥＧレベル未満である場合、上りフレーム処理部３０４は、当該イーサＯＡＭフレームを破棄する。
【００７６】
下りフレーム処理部３０６は、中継網インタフェース部３００から入力されたフレームをアクセス網インタフェース部３０８に出力するか否かを決定する。
【００７７】
具体的には、下りフレーム処理部３０６は、中継網インタフェース部３００から入力されたフレームがユーザフレームであるか、イーサＯＡＭフレームであるかを判定する。
【００７８】
中継網インタフェース部３００から入力されたフレームがユーザフレームであると判定された場合、下りフレーム処理部３０６は、当該フレームをアクセス網インタフェース部３０８に出力する。
【００７９】
一方、中継網インタフェース部３００から入力されたフレームがイーサＯＡＭフレームであると判定された場合、下りフレーム処理部３０６は、イーサＯＡＭ処理を実行する。
【００８０】
具体的には、イーサＯＡＭフレームに含まれるＭＥＧレベルが局装置１０１に設定されたＭＥＧレベルよりも大きい場合、下りフレーム処理部３０６は、当該イーサＯＡＭフレームをアクセス網インタフェース部３０８へ出力する。
【００８１】
一方、イーサＯＡＭフレームに含まれるＭＥＧレベルが局装置１０１に設定されたＭＥＧレベルと一致する場合、下りフレーム処理部３０６は、当該イーサＯＡＭフレームを終端させる。イーサＯＡＭフレームに含まれるＭＥＧレベルが局装置１０１に設定されたＭＥＧレベル未満である場合、下りフレーム処理部３０６は、当該イーサＯＡＭフレームを破棄する。
【００８２】
低消費電力モード判定処理部３０５は、上りフレーム処理部３０４から低消費電力モード通知フレームが入力された場合、宅内装置１００からＣＣフレームを受信しなくても、ＬＯＣ警報の検出を抑制（停止）する。
【００８３】
ＬＯＣ警報は、通常、局装置１０１がＣＣフレームを所定時間以上受信しない場合に局装置１０１によって検出され、局装置１０１は、当該ＬＯＣ警報を図示しないネットワーク管理装置に送信する。ここで、ＬＯＣ警報の検出の抑制とは、局装置１０１がＣＣフレームを所定時間以上受信しなくても、低消費電力モード判定処理部３０５が通信経路の異常を報知するＬＯＣ警報を検出しないように設定することである。
【００８４】
図４は、本発明の第１の実施形態の宅内装置１００Ａ及び１００Ｂが低消費電力モードへ遷移する場合のシーケンス図である。
【００８５】
宅内装置１００Ａは、低消費電力モードよりも消費電力が高い通常モード時、ＣＣフレームを局装置１０１Ａへ周期的かつ連続的に送信する（４１０Ａ）。そして、局装置１０１Ａは宅内装置１００ＡからＣＣフレームを受信することによって（４１１Ａ）、局装置１０１Ａと宅内装置１００Ａとの間の通信経路の正常性が確認される。
【００８６】
また、宅内装置１００Ｂも、宅内装置１００Ａと同じく、ＣＣフレームを局装置１０１Ｂへ周期的かつ連続的に送信する（４１０Ｂ）。そして、局装置１０１Ｂは宅内装置１００ＢからＣＣフレームを受信することによって（４１１Ｂ）、局装置１０１Ｂと宅内装置１００Ｂとの間の通信経路の正常性が確認される。
【００８７】
また、図示しないが、宅内装置１００Ａと宅内装置１００Ｂとの間のエンド・エンド間の通信経路の正常性を確認する。
【００８８】
具体的には、宅内装置１００ＡがＣＣフレームを宅内装置１００Ｂへ周期的かつ連続的に送信し、宅内装置１００Ｂが宅内装置１００ＡからのＣＣフレームを受信すること、及び、宅内装置１００ＢがＣＣフレームを宅内装置１００Ａへ周期的かつ連続的に送信し、宅内装置１００Ａが宅内装置１００ＢからのＣＣフレームを受信することによって、宅内装置１００Ａと宅内装置１００Ｂとの間のエンド・エンド間の通信経路の正常性が確認される。
【００８９】
宅内装置１００Ａは、自身とユーザ端末１０４Ａとの物理リンクが切断されたことを検出すると（４００）、自身が低消費電力モードへ遷移することを示す低消費電力モード通知フレームを局装置１０１Ａへ送信し（４１４）、宅内装置１００Ｂを低消費電力モードへ遷移させる指令を示す低消費電力モード制御フレームを宅内装置１００Ｂに送信する（４１６）。
【００９０】
宅内装置１００Ａとユーザ端末１０４Ａとの物理リンクが切断されたことは、ユーザ端末インタフェース部２０８の受信部２０９が検出する。
【００９１】
また、低消費電力モードへ遷移するとは、図２で説明したように、低消費電力モード判定処理部２０５が宅内装置１００Ａのユーザ端末インタフェース部２０８の送信部２１０、アクセス網インタフェース部２００の送信部２０１、及び上りフレーム処理部２０４を無効化することである。低消費電力モードではアクセス網インタフェース部２００の送信部２０１が無効化されるので、宅内装置１００Ａは、低消費電力モードに遷移すると（４０１）、ＣＣフレームの送信を停止する（４２０）。
【００９２】
局装置１０１Ａは、宅内装置１００Ａによって送信された低消費電力モード通知フレームを受信した場合（４１５）、宅内装置１００Ａが低消費電力モードに遷移することを認識し、宅内装置１００Ａと局装置１０１Ａとの間のセグメント区間のＬＯＣ警報の検出を抑制する（４２２）。
【００９３】
宅内装置１００Ｂは、ステップ４１６の処理で宅内装置１００Ａによって送信された低消費電力モード制御フレームを受信した場合（４１７）、宅内装置１００Ａと宅内装置１００Ｂとの間のエンド・エンド区間のＬＯＣ警報の検出を抑制し（４２４）、局装置１０１Ｂに低消費電力モード通知フレームを送信する（４１９）。
【００９４】
局装置１０１Ｂは、ステップ４１９の処理で宅内装置１００Ｂによって送信された低消費電力モード通知フレームを受信した場合（４１８）、宅内装置１００Ｂが低消費電力状態に遷移することを認識し、宅内装置１００Ｂと局装置１０１Ｂとの間のＬＯＣ警報の検出を抑制する（４２５）。
【００９５】
次に、宅内装置１００Ｂは、宅内装置１００Ａへ低消費電力モード通知フレームを送信し（４２６）、低消費電力モードへ遷移すると（４０６）、アクセス網インタフェース部２００の送信部２０１が無効化されるので、ＣＣフレームの送信を停止する（４２１）。
【００９６】
宅内装置１００Ａは、宅内装置１００Ｂがステップ４２６の処理で送信した低消費電力モード通知フレームを受信した場合（４２７）、宅内装置１００Ａと宅内装置１００Ｂとの間のエンド・エンド区間のＬＯＣ警報の検出を抑制する（４２３）。
【００９７】
なお、図４では、宅内装置１００Ａは、ステップ４１４の処理で低消費電力モード通知フレームを局装置１０１Ａに送信してから、ステップ４１６の処理で低消費電力モード制御フレームを送信しているが、これらのフレームの送信処理はステップ４０１の処理で低消費電力モードへ遷移する前に実行されていればよく、これらの処理の順番はどちらを先に実行してもよい。
【００９８】
また、宅内装置１００が一つの低消費電力モード制御フレーム及び低消費電力モード通知フレームを送信する場合に、当該フレームを少なくとも２フレーム以上連続的に送信するようにすると、送信先の機器が当該フレームを確実に受信する可能性を高めることができる。フレームが送信元から送信先まで到達するまでに、局装置１０１やアクセス網１０２、中継網１０３等によって誤って破棄される場合があるからである。
【００９９】
なお、宅内装置１００が低消費電力モード制御フレーム及び低消費電力モード通知フレームを２フレーム以上送信する場合、低消費電力モード制御フレーム及び低消費電力モード通知フレームの送信周期をＣＣフレームの送信周期と同じく設定してもよい。
【０１００】
図５は、本発明の第１の実施形態の宅内装置１００Ａ及び１００Ｂが低消費電力モードから通常モードへ遷移する場合のシーケンス図である。
【０１０１】
宅内装置１００Ａがユーザ端末１０４Ａとの物理リンク回復を検出した場合に、自身の低消費電力モードを解除して通常モードへ遷移し、宅内装置１００Ｂも低消費電力モードから通常モードへ遷移させる。
【０１０２】
宅内装置１００Ａは、自身とユーザ端末１０４Ａとの物理リンクが回復されたことを検出すると（５００）、低消費電力モードを解除し、通常モードに遷移する（５０１）。
【０１０３】
宅内装置１００Ａとユーザ端末１０４Ａとの物理リンクの回復は、低消費電力モードでも無効化されないユーザ端末インタフェース部２０８の受信部２０９によって検出される。
【０１０４】
また、低消費電力モードを解除するとは、低消費電力モード判定処理部２０５が、低消費電力モード中に無効化されていたユーザ端末インタフェース部２０８の送信部２１０、アクセス網インタフェース部２００の送信部２０１、及び上りフレーム処理部２０４を有効にすることである。具体的には、低消費電力モード判定処理部２０５は、図示しないイネーブル回路に低消費電力モード時に上りフレーム処理部２０４、アクセス網インタフェース部２００の送信部２０１、及びユーザ端末インタフェース部２０８の送信部２１０にイネーブル信号を出力するように指示する。
【０１０５】
なお、上りフレーム処理部２０４、アクセス網インタフェース部２００の送信部２０１、及びユーザ端末インタフェース部２０８の送信部２１０への電源の供給を停止して、これらを無効化した場合には、電源の供給を開始する。
【０１０６】
次に、宅内装置１００Ａは、局装置１０１Ａ及び宅内装置１００ＢへのＣＣフレームの送信を開始する（５０３）。そして、宅内装置１００Ａは、ステップ５０１の処理で低消費電力モードを解除したことを局装置１０１Ａに通知するため、局装置１０１Ａへ低消費電力モード通知フレームを局装置１０１Ａに送信する（５０５）。なお、低消費電力モードを解除したことを通知するための低消費電力モード通知フレームと、低消費電力モードに遷移したことを通知するための低消費電力モード通知フレームとは、区別可能なフレームである。これらの低消費電力モード通知フレームのデータ構成については、図６で詳細を説明する。
【０１０７】
次に、宅内装置１００Ａは、宅内装置１００Ｂに対して低消費電力モードを解除させるため、低消費電力モード制御フレームを宅内装置１００Ｂに送信する（５０８）。なお、低消費電力モードへの遷移を指示する低消費電力モード制御フレームと、低消費電力モードの解除を指示する低消費電力モード制御フレームとは、区別可能なフレームである。これらの低消費電力モード制御フレームのデータ構成については、図６で詳細を説明する。
【０１０８】
局装置１０１Ａは、ステップ５０３の処理で宅内装置１００Ａによって送信されたＣＣフレームを受信する（５０４）。また、局装置１０１Ａは、低消費電力モード通知フレームを受信した場合（５０６）、宅内装置１００Ａと局装置１０１Ａとの間のセグメント区間のＬＯＣ警報の検出抑制を解除する（５０７）。
【０１０９】
宅内装置１００Ｂは、ステップ５０８の処理で宅内装置１００Ａによって送信された低消費電力モード制御フレームを受信した場合（５０９）、宅内装置１００Ａと宅内装置１００Ｂとの間のエンド・エンド区間のＬＯＣ警報の検出抑制を解除する（５１０）。
【０１１０】
そして、宅内装置１００Ｂは、低消費電力モードを解除し、通常モードに遷移してから（５０２）、局装置１０１ＢへのＣＣフレームの送信を開始する（５１１）。
【０１１１】
次に、宅内装置１００Ｂは、ステップ５０２の処理で低消費電力モードを解除したことを局装置１０１Ｂに通知するため、低消費電力モード通知フレームを局装置１０１Ｂに送信する（５１３）。また、宅内装置１００Ｂは、宅内装置１００Ａと宅内装置１００Ｂとの間のエンド・エンド区間のＬＯＣ警報の検出抑制を宅内装置１００Ａに解除させるため、低消費電力モード通知フレームを宅内装置１００Ａに送信する（５１６）。
【０１１２】
局装置１０１Ｂは、ステップ５１１の処理で宅内装置１００Ｂによって送信されたＣＣフレームを受信する（５１２）。また、局装置１０１Ｂは、低消費電力モード通知フレームを受信した場合（５１４）、宅内装置１００Ｂが低消費電力モードを解除し、通常モードに遷移したことを認識し、宅内装置１００Ｂと局装置１０１Ｂとのセグメント区間のＬＯＣ警報の検出抑制を解除する（５１５）。
【０１１３】
宅内装置１００Ａは、ステップ５１６の処理で宅内装置１００Ｂによって送信された低消費電力モード通知フレームを受信した場合（５１７）、宅内装置１００Ａと宅内装置１００Ｂとの間のエンド・エンド区間のＬＯＣ警報の検出抑制を解除する（５１８）。
【０１１４】
なお、宅内装置１００Ａが、ステップ５０７の処理で局装置１０１ＡのＬＯＣ警報の検出抑制が解除された後に（低消費電力モード通知フレームを送信した後に）、ＣＣフレームの送信を開始すると、局装置１０１ＡがＣＣフレームを受信する前に所定時間が経過してしまい、局装置１０１ＡがＬＯＣ警報を検出する可能性がある。このため、本実施形態では、図５に示すように、宅内装置１００Ａは、ステップ５０５の処理で低消費電力モード通知フレーム及びステップ５０８の処理で低消費電力モード制御フレームを送信する前に、ステップ５０３の処理でＣＣフレームの送信を開始している。
【０１１５】
なお、宅内装置１００Ｂについても、ステップ５１３及び５１６の処理で低消費電力モード通知フレームを送信する前に、ステップ５１１の処理でＣＣフレームの送信を開始している。
【０１１６】
また、図５では、宅内装置１００及び局装置１０１は、低消費電力モード通知フレーム又は低消費電力モード制御フレームを受信した場合にＬＯＣ警報の検出抑制を解除するが、ＣＣフレームを受信した場合にＬＯＣ警報の検出抑制を解除してもよい。
【０１１７】
図６は、本発明の第１の実施形態のネットワークシステムで通信されるＣＣフレーム、低消費電力モード通知フレーム、及び低消費電力制御フレームのフォーマット構成の説明図である。
【０１１８】
ＣＣフレーム、低消費電力モード通知フレーム、及び低消費電力モード制御フレームは、ＩＴＵ-Ｔ勧告Ｙ．１７３１に規定されるイーサＯＡＭフレームを使用して作成される。
【０１１９】
これらのフレームは、図６に示すように、宛先ＭＡＣアドレス６０１、送信元ＭＡＣアドレス６０２、ＶＬＡＮタグ６０３、タイプ６０４、ペイロード６０５、ＦＣＳ（Frame Check Sequence）６０６を含む。
【０１２０】
宛先ＭＡＣアドレス６０１にはフレームの宛先の機器のＭＡＣアドレスが登録され、送信元ＭＡＣアドレス６０２には自装置のＭＡＣアドレスが登録される。
【０１２１】
ＶＬＡＮタグ６０３には、ＶＬＡＮ(Virtual Local Area Network)の識別子が登録される。
【０１２２】
タイプ６０４には、当該フレームがイーサＯＡＭフレームであることを示す１６進数「８９０２」が登録される。
【０１２３】
ペイロード６０５は、ＭＥＧレベル６０７、バージョン６０８、ＯｐＣｏｄｅ６０９、フラグ６１０、ＴＬＶ(Type Length Value)オフセット６１１、及びＯＡＭデータ６１２を含む。
【０１２４】
ＦＣＳ６０６には、データの誤りを検出するための値が登録される。送信側の機器は送信するフレームのチェックサムを算出し、ＦＣＳ６０６に登録してフレームを送信する。受信側の機器は受信したフレームのチェックサムを算出し、算出した値がＦＣＳ６０６に登録された値と一致した場合、データ誤りがないと判定し、算出した値がＦＣＳ６０６に登録された値と一致しない場合、データ誤りがあると判定する。
【０１２５】
ペイロード６０５に含まれるＭＥＧレベル６０７には、ＯＡＭフレームの管理レベルを示すＭＥＧレベルが登録される。ＭＥＧレベルについては図７で詳細を説明する。
【０１２６】
バージョン６０８には、使用されるイーサＯＡＭのバージョン情報が登録される。
【０１２７】
ＯｐＣｏｄｅ６０９には、ＩＥＥＥ８０２．１ａｇ及びＩＴＵ-Ｔ勧告Ｙ．１７３１により規定されるイーサＯＡＭの機能を識別するための識別子が登録される。低消費電力モード通知フレーム及び低消費電力モード制御フレームのＯｐＣｏｄｅ６０９には、ＶＳＭ(Vendor Specific OAM Message）フレームを使用することを示す１６進数「３３」が登録される。一方、ＣＣフレームのＯｐＣｏｄｅ６０９には、ＣＣフレームを使用することを示す１６進数「０１」が登録される。
【０１２８】
すなわち、本実施形態のＯｐＣｏｄｅ６０９には、低消費電力モード通知フレーム又は低消費電力モード制御フレームであるＶＳＭフレームか、ＣＣフレームかを識別するための識別子が登録される。
【０１２９】
フラグ６１０には、当該フレームの送信周期を示す情報が登録される。ＴＬＶオフセット６１１には、ＴＬＶまでの固定フィールド長が登録される。
【０１３０】
また、ＶＳＭフレームにおけるベンダが独自に使用可能であるＯＡＭデータ６１２は、低消費電力モードに関する情報（ＯＵＩ(Organizationally Unique Identifier)６１８、ＳｕｂＯｐＣｏｄｅ６１３、ＴＬＶタイプ６１４、情報識別６１５、動作状態６１６、及びモード種別６１７）を含む。
【０１３１】
ＯＵＩ６１８には、組織ＩＤが登録される。ＳｕｂＯｐＣｏｄｅ６１３には、ＶＳＭフレームが低消費電力モード通知フレームであるか低消費電力モード制御フレームであるかを示す識別子が登録される。低消費電力モード通知フレームであることを示す場合、ＳｕｂＯｐＣｏｄｅ６１３には、イベント通知フレームであることを示す１６進数「３１」が登録される。一方、低消費電力モード制御フレームであることを示す場合、ＳｕｂＯｐＣｏｄｅ６１３には、遠隔制御用フレームであることを示す１６進数「２１」が登録される。
【０１３２】
ＴＬＶタイプ６１４には、ＴＬＶのタイプを示す識別子が登録される。情報識別６１５には、制御する管理対象を示す識別子であり、低消費電力モードは１６進数「３０」を使用する。
【０１３３】
動作状態６１６には、送信元の宅内装置１００がどのモードに遷移するかを示す識別子が登録される。送信元の宅内装置１００が低消費電力モードに遷移する場合、動作状態６１６には１６進数「０１」が登録され、送信元の宅内装置１００が通常モードに遷移する場合、動作状態６１６には１６進数「００」が登録される。
【０１３４】
低消費電力モード通知フレームの動作状態６１６に「０１」が登録されていれば、当該フレームは、局装置１０１及び対向する宅内装置１００のＬＯＣ警報の検出を抑制する指示となる。また、低消費電力モード通知フレームの動作状態６１６に「００」が登録されていれば、当該フレームは、局装置１０１及び対向する宅内装置１００のＬＯＣ警報の検出抑制を解除する指示となる。
【０１３５】
低消費電力モード制御フレームの動作状態６１６に「０１」が登録されていれば、当該フレームは、対向する宅内装置１００を低消費電力モードに遷移させ、当該対向する宅内装置１００のＬＯＣ警報の検出を抑制する指示となる。また、低消費電力モード制御フレームの動作状態６１６に「００」が登録されていれば、当該フレームは、対向する宅内装置１００を通常モードに遷移させ、当該対向する宅内装置１００のＬＯＣ警報の検出抑制を解除する指示となる。
【０１３６】
モード種別６１７は、制御対象となる宅内装置１００の制御モードの識別子が登録される。
【０１３７】
制御モードについては、本実施形態では二つの制御モードが用意されており、具体的には、第１モード、第２モードが用意されている。
【０１３８】
第１モードの識別子は１６進数「０１」であり、第２モードの識別子は１６進数「０３」である。
【０１３９】
第１モードは、宅内装置１００のユーザ端末インタフェース部２０８の送信部２１０、アクセス網インタフェース部２００の送信部２０１、及び上りフレーム処理部２０４を無効化することによる低消費電力モードへの遷移を指示する。
【０１４０】
第２モードは、宅内装置１００のユーザ端末インタフェース部２０８、アクセス網インタフェース部２００の送信部２０１、及び上りフレーム処理部２０４を無効化することによる低消費電力モードへの遷移を指示する。第２モードは、ユーザ端末インタフェース部２０８の受信部２０９及び送信部２１０を無効化する点で第１モードと異なる。第２モードは本実施形態では使用しないが、本実施形態の変形例で使用する。
【０１４１】
第１モード及び第２モードは宅内装置１００が対向する宅内装置１００の電力モードを制御する場合、及び局装置１０１が宅内装置１００の電力モードを制御する場合に使用される。
【０１４２】
低消費電力モード制御フレームのＭＥＧレベルは、宅内装置１００が対向する宅内装置１００を制御する場合、宅内装置１００と宅内装置１００との間のエンド・エンド区間のＭＥＧレベルが設定され、局装置１０１が宅内装置１００を制御する場合、局装置１０１と宅内装置１００との間のセグメント区間のＭＥＧレベルが設定される。
【０１４３】
局装置１０１が宅内装置１００を低消費電力モードへ遷移させる強制実行の制御は、動作状態６１６に「０１」を登録し、モード識別６１７に第１モード又は第２モードを登録した低消費電力モード制御フレームを使用する。
【０１４４】
強制実行は、宅内装置１００までの回線工事が完了後のユーザ端末１０４からのデータ通信がないユーザ開通前（つまり、サービス提供前）に使用される。
【０１４５】
局装置１０１が宅内装置１００にした強制実行の解除は、動作状態６１６に「００」を登録した低消費電力モード制御フレームを使用する。
【０１４６】
パディング６１９には、イーサＯＡＭフレームのフレーム長が最小パケット長以上にするために固定値（１６進数「００」）が登録される。
【０１４７】
図７は、本発明の第１の実施形態の低消費電力モード制御フレーム及び低消費電力モード通知フレームが宛先の機器へ到達するまでの説明図である。
【０１４８】
宅内装置１００及び局装置１０１には、イーサＯＡＭフレームを終端させるためのＭＥＰ点が設定される。
【０１４９】
ＭＥＧレベルは監視区間を設定するものであり、監視区間は、ＭＥＧレベルの設定によってアクセス網１０２及びエンド・エンド間等の任意の区間に設定できる。
【０１５０】
ここで、中継網１０３に接続される局装置１０１Ａ及び１０１Ｂに設定されるＭＥＰ点のセグメントＭＥＧレベル７０２は「３」に設定される。エンド点となる宅内装置１００Ａ及び１００Ｂに設定されるＭＥＰ点のセグメントＭＥＧレベル７０１は「３」に設定され、エンド・エンドＭＥＧレベル７００は「４」に設定される。アクセス網１０２の装置及び中継網１０３の装置に設定されるＭＥＰ点のＭＥＧレベル７０３は「３」未満の「２」に設定される。
【０１５１】
なお、ＭＥＰ点におけるＭＥＧレベルによるイーサＯＡＭフィルタ処理は、ＩＴＵ-Ｔ勧告Ｙ．１７３１の規定に準拠する。
【０１５２】
宅内装置１００によって生成される低消費電力モード通知フレームのＳｕｂＯｐＣｏｄｅ６１３の領域には、低消費電力モード通知フレームであることを示す識別子が登録され、ＭＥＧレベル６０７の領域には、フレーム到達点である局装置１０１のＭＥＰ点に設定されたセグメントのＭＥＧレベル７０２の値「３」が登録される。
【０１５３】
宅内装置１００によって生成される低消費電力モード制御フレームのＳｕｂＯｐＣｏｄｅ６１３の領域には、低消費電力モード制御フレームであることを示す識別子が登録され、ＭＥＧレベル６０７の領域には、フレーム到達点である宅内装置１００のＭＥＰ点に設定されたエンド・エンド間のＭＥＧレベル７００の値「４」が登録される。
【０１５４】
アクセス網１０２の装置は、宅内装置１００によって送信された低消費電力モード通知フレームを受信した場合、受信した低消費電力モード通知フレームがイーサＯＡＭフレームであると判定した後、当該フレームのＭＥＧレベル６０７を読み取る。
【０１５５】
低消費電力モード通知フレームのＭＥＧレベル６０７に登録されたＭＥＧレベルは「３」であり、アクセス網１０２の装置に設定されたＭＥＧレベル７０３は「２」であり、低消費電力モード通知フレームのＭＥＧレベル６０７がアクセス網１０２の装置のＭＥＧレベル７０３より大きい。このため、アクセス網１０２の装置は、受信した低消費電力モード通知フレームをＭＥＧレベル超過のイーサＯＡＭフレームと判定し、低消費電力モード通知フレームを透過させる。この結果、宅内装置１００によって送信された低消費電力モード通知フレームは、アクセス網１０２を通過し、局装置１０１まで到達する。
【０１５６】
宅内装置１００によって送信された低消費電力モード制御フレームのＭＥＧレベル６０７に登録されたＭＥＧレベルは「４」であり、アクセス網１０２の装置及び中継網１０３の装置に設定されたＭＥＧレベル７０３は「２」であり、低消費電力モード制御フレームのＭＥＧレベル６０７がアクセス網１０２の装置及び中継網１０３の装置のＭＥＧレベル７０３より大きい。このため、アクセス網１０２の装置及び中継網１０３の装置は、受信した低消費電力モード制御フレームをＭＥＧレベル超過のイーサＯＡＭフレームと判定し、低消費電力モード制御フレームを透過させる。この結果、宅内装置１００によって送信された低消費電力モード制御フレームは、局装置１０１、アクセス網１０２、及び中継網１０３を通過し、対向する宅内装置１００まで伝達される。
【０１５７】
以上のように、本実施形態では、宅内装置１００がユーザ端末との物理リンクが切断されたことを検出した場合、対向する宅内装置１００に低消費電力モードへ遷移する指示である低消費電力モード制御フレームを送信し、自身を低消費電力モードへ遷移させる。また、対向する宅内装置１００は、低消費電力モード制御フレームを受信した場合、自身を低消費電力モードへ遷移させる。これによって、一方の宅内装置１００がデータ通信できない状態であれば、両方の宅内装置１００を低消費電力モードに遷移させることができ、加入者宅の消費電力を有効に低減できる。
【０１５８】
また、宅内装置１００が低消費電力モードへ遷移する場合、自身が低消費電力モードへ遷移することを通知する低消費電力モード通知フレームを局装置１０１へ送信するので、局装置１０１は、宅内装置１００が低消費電力モードへ遷移することを把握でき、ＣＣフレームを所定時間以上受信しなくてもＬＯＣ警報を検出しない。これによって、ＬＯＣ警報は通信経路に異常が発生したときのみに検出される。
【０１５９】
（第１の実施形態の変形例）
第１の実施形態では、宅内装置１００は、ユーザ端末１０４との物理リンクが切断された場合、自身及び対向する宅内装置１００のユーザ端末インタフェース部２０８の送信部２１０、アクセス網インタフェース部２００の送信部２０１、及び上りフレーム処理部２０４を無効化して低消費電力モードに遷移するものである。
【０１６０】
本変形例では、宅内装置１００は、アクセス網１０２との物理リンクが切断された場合、又は局装置１０１からＬＯＣ警報を検出した場合、自身及び対向する宅内装置１００のユーザ端末インタフェース部２０８、アクセス網インタフェース部２００の送信部２０１、及び上りフレーム処理部２０４を無効化して低消費電力モードに遷移する。
【０１６１】
アクセス網１０２との物理リンクが切断されたことは、アクセス網インタフェース部２００の受信部２０２によって検出される。また、局装置１０１からのＬＯＣ警報は下りフレーム処理部２０６によって検出される。
【０１６２】
本変形例は、低消費電力モード遷移時にユーザ端末インタフェース部２０８の受信部２０９も無効化する点で第１の実施形態と異なる。
【０１６３】
これは、本変形例では、アクセス網１０２側の障害によって低消費電力モードに遷移するものであるため、低消費電力モード遷移時にはユーザ端末インタフェース部２０８を監視しなくてもよいので、ユーザ端末インタフェース部２０８の受信部２０９も無効化する。
【０１６４】
なお、本変形例は、第１実施形態と組み合わせて実現してもよい。この場合、アクセス網１０２との物理リンクが切断された場合、又は局装置１０１からＬＯＣ警報を検出した場合に送信される低消費電力モード制御フレームのモード種別６１７にはモード２であることを示す識別子が登録され、ユーザ端末１０４との物理リンクが切断された場合に送信される低消費電力モード制御フレームのモード種別６１７にはモード１であることを示す識別子が登録される。
【０１６５】
これによって、異常が検出された箇所によって無効化する箇所が異なる場合であっても、宅内装置１００は、検出された異常個所に対応した箇所を無効化することによる低消費電力モードに遷移できる。
【０１６６】
（第２の実施形態）
本実施形態では、宅内装置１００は、ユーザ端末１０４を収容可能な複数の物理ポート８０１及び８０２を備え、一つの物理ポートごとに一つのユーザ端末１０４を収容する構成において、宅内装置１００Ａが備える物理ポートのうち、一つの物理ポートでユーザ端末１０４との物理リンクが切断された場合、対向する宅内装置１００に備わる物理ポートのうち当該物理リンクが切断された物理ポートに対応する物理ポートを低消費電力モードへ遷移させる。
【０１６７】
図８Ａは、本発明の第２の実施形態のネットワークシステムの説明図である。
【０１６８】
宅内装置１００Ａは、二つの物理ポート８０１Ａ及び８０２Ａを備え、二つの物理ポート８０１Ａ及び８０２Ａにユーザ端末１０４Ａ及び１０４Ｃが収容される。また、宅内装置１００Ｂは、二つの物理ポート８０１Ｂ及び８０２Ｂを備え、二つの物理ポート８０１Ｂ及び８０２Ｂにユーザ端末１０４Ｂ及び１０４Ｄが収容される。
【０１６９】
イーサネット網のエンド・エンド区間でフレームが伝送される通信回線（ＶＬＡＮ）の識別子は、イーサフレームのＶＬＡＮタグに含まれる。
【０１７０】
宅内装置１００及び局装置１０１は、通信回線の接続情報をＶＬＡＮテーブル（図８参照）によって管理する。
【０１７１】
図８Ｂは、本発明の第２の実施形態の宅内装置１００及び局装置１０１が保持するＶＬＡＮテーブルの説明図である。
【０１７２】
宅内装置１００が保持するＶＬＡＮテーブルは、ＵＮＩ（User Network Interface）ポート番号８０５、ＵＮＩ  ＶＩＤ８０３、及びＡＮＩ（Access Network Interface）  ＶＩＤ８０４を含む。
【０１７３】
ＵＮＩポート番号８０５には、宅内装置１００に備わる物理ポートの一意な識別子が登録される。ＵＮＩ  ＶＩＤ８０３には、ユーザ端末１０４側のＶＬＡＮの識別子が登録される。ＡＮＩ  ＶＩＤ８０４には、アクセス網１０２側のＶＬＡＮの識別子が登録される。
【０１７４】
局装置１０１が保持するＶＬＡＮテーブルは、ＡＮＩ  ＶＩＤ８０６及びＮＮＩ（Network Node Interface）  ＶＩＤ８０７を含む。
【０１７５】
ＡＮＩ  ＶＩＤ８０６には、アクセス網１０２側のＶＬＡＮの識別子が登録される。ＮＮＩ  ＶＩＤ８０７には、中継網１０３側のＶＬＡＮの識別子が登録される。
【０１７６】
宅内装置１００及び局装置１０１は、受信したイーサフレームのＶＩＤ値が、自装置に保持されるＶＬＡＮテーブルに登録されたＶＩＤ値のうち当該イーサフレームを受信したインタフェース（受信側インタフェース）に設定されたＶＩＤ値と一致する場合、当該イーサフレームの受信処理を実行する。
【０１７７】
そして、当該装置は、ＶＬＡＮテーブルに登録されたＶＩＤ値のうち、受信したイーサフレームのＶＩＤ値と一致する受信側インタフェースに設定されたＶＩＤ値と同じエントリのＶＩＤ値を取得し、受信したイーサフレームのＶＩＤ値を取得したＶＩＤ値に変換し、イーサフレームを送信する。
【０１７８】
宅内装置１００Ａに備わる物理ポートＡ８０１Ａが受信する通信回線Ａ（ＶＬＡＮ  Ａ）に属するイーサフレームが、宅内装置１００Ａと対向する宅内装置１００Ｂの物理ポートＡ８０１Ｂに到達されるまでの動作について説明する。
【０１７９】
宅内装置１００Ａに備わる物理ポートＡ８０１Ａが受信したイーサフレームのＶＩＤ値が「１」である場合、宅内装置１００Ａは、図８Ｂに示すＶＬＡＮテーブルを参照し、当該イーサフレームのＶＩＤ値がＵＮＩ  ＶＩＤ８０３Ａに登録されたＶＩＤ値と一致すれば、当該イーサフレームを受信し、ＶＩＤ値をＡＮＩ  ＶＩＤ８０４Ａに登録された値「１０１」に変換したイーサフレームを局装置１０１Ａへ送信する。
【０１８０】
一方、受信したイーサフレームのＶＩＤ値がＶＬＡＮテーブルに登録されていない場合には、宅内装置１００Ａは、当該イーサフレームを廃棄する。
【０１８１】
なお、宅内装置１００の物理ポートＡ８０１Ａが受信するイーサフレームのＶＩＤ値は、当該物理ポートＡ８０１Ａに接続されるユーザ端末１０４Ａごとに予め設定されている。例えば、ユーザ端末１０４Ａが物理ポートＡ８０１Ａに接続された場合、物理ポートＡ８０１Ａは、ユーザ端末１０４ＡからＶＩＤ値「１」のイーサフレームを受信する。
【０１８２】
図８Ｂでは、物理ポートＡ８０１Ａは、二つの通信回線Ａ及びＢ（ＶＬＡＮ  Ａ及びＢ）が用意されており、物理ポートＡ８０１Ａに接続されたユーザ端末１０４からのフレームに含まれるＵＮＩ  ＶＩＤによって、当該ユーザ端末１０４が属する一つの通信回線（ＶＬＡＮ）が選択される。
【０１８３】
局装置１０１Ａ及び局装置１０１Ｂは、宅内装置１００Ａと同様に、ＶＬＡＮテーブルを参照し、イーサフレームを受信するか、廃棄するかを判定し、イーサフレームを受信すると判定された場合には受信したイーサフレームのＶＩＤ値を変換する。
【０１８４】
具体的には、局装置１０１Ａは、受信したイーサフレームのＶＩＤ値「１０１」を、ＮＮＩ  ＶＩＤ８０７Ａに登録されたＶＩＤ値「５０１」に変換し、受信したイーサフレームを中継網１０３を介して局装置１０１Ｂに送信する。
【０１８５】
局装置１０１Ｂは、受信したイーサフレームのＶＩＤ値「５０１」を、ＡＮＩ  ＶＩＤ８０６Ｂに登録されたＶＩＤ値「２０１」に変換し、受信したイーサフレームをアクセス網１０２Ｂを介して宅内装置１００Ｂに送信する。
【０１８６】
宅内装置１００Ｂは、受信したイーサフレームのＶＩＤ値「２０１」とＶＬＡＮテーブルのＡＮＩ  ＶＩＤに登録されたＶＩＤ値「２０１」とが一致する照合結果に従って、受信したイーサフレームのＶＩＤ値を「１１」に変換し、当該イーサフレームを物理ポートＡ８０１Ｂからユーザ端末１０４Ｂに送信する。
【０１８７】
以上のように、本実施形態のネットワークシステムでは、同じ通信回線に属するユーザ端末１０４間でデータ通信が可能となり、異なる通信回線に属するユーザ端末１０４ではデータ通信ができない。
【０１８８】
図９は、本発明の第２の実施形態のネットワークシステムで送受信されるフレームの説明図である。
【０１８９】
当該フレームは、図６と同じく、宛先ＭＡＣアドレス６０１、送信元ＭＡＣアドレス６０２、ＶＬＡＮタグ６０３、タイプ６０４、ペイロード６０５、及びＦＣＳ６０６を含む。
【０１９０】
宛先ＭＡＣアドレス６０１、送信元ＭＡＣアドレス６０２、タイプ６０４、ペイロード６０５、及びＦＣＳ６０６は、図６と同じであるので説明を省略する。
【０１９１】
ＶＬＡＮタグ６０３は、ＩＥＥＥ８０２．１Ｑの規定に準拠し、ＶＬＡＮタグを示すＴＰＩＤ（Tag Protocol Identifier）９０１、フレームの優先度を示すＣＯＳ(Class Of Service)９０２、フレームのフォーマットを示すＣＦＩ(Canonical Format Indicator)９０３、及び、通信回線（ＶＬＡＮ）の識別に使用するＶＬＡＮ  ＩＤ(VLAN Identifier：以下ＶＩＤとする)９０４を含む。
【０１９２】
図１０は、本発明の第２の実施形態の宅内装置１００の構成を示すブロック図である。
【０１９３】
宅内装置１００は、図２で説明したアクセス網インタフェース部２００、低消費電力モード判定処理部２０５、下りフレーム処理部２０６、及び表示部２１１の他に、複数のポートＡ８０１及びポートＢ８０２、上りフレーム多重部１０００、並びにＶＬＡＮテーブル１００１を備える。
【０１９４】
ポートＡ８０１及びポートＢ８０２（以下、総称してポートという）は、ユーザ端末インタフェース部２０８Ａ及び２０８Ｂ、並びに上りフレーム処理部２０４Ａ及び２０４Ｂを備える。
【０１９５】
なお、ユーザ端末インタフェース部２０８Ａ及び２０８Ｂは、図２に示すユーザ端末インタフェース部２０８と同じであるので説明を省略する。上りフレーム処理部２０４Ａ及び２０４Ｂは、図２に示す上りフレーム処理部２０４と同じであるので説明を省略する。
【０１９６】
上りフレーム多重部１０００は、ポート８０１及び８０２からアクセス網１０２へ送信する上りフレームを多重する。また、上りフレーム多重部１０００は、低消費電力モード判定処理部２０５によって生成された低消費電力モード制御フレーム及び低消費電力モード通知フレームを多重し、アクセス網インタフェース部２００の送信部２０１へ入力する。
【０１９７】
ＶＬＡＮテーブル１００１は、図８Ｂで説明したように、通信回線と各インタフェースに設定されたＶＬＡＮとの関係を管理する。
【０１９８】
下りフレーム処理部２０６は、アクセス網インタフェース部の受信部２０２から入力されたイーサフレームのタイプ６０４を読み取り、イーサＯＡＭフレームかユーザフレームかを判定する。
【０１９９】
入力されたイーサフレームがユーザフレームであると判定した場合、下りフレーム処理部２０６は、ＶＬＡＮテーブルのエントリからＡＮＩ  ＶＩＤ８０４に登録されたＶＩＤ値が入力されたユーザフレームのＶＩＤ９０４に登録されたＶＩＤ値と一致するエントリを検索する。両者が一致するエントリが検索された場合、下りフレーム処理部２０６は、入力されたユーザフレームのＶＩＤ９０４を当該エントリのＵＮＩ  ＶＩＤ８０３に登録されたＶＩＤ値に変換したＶＬＡＮタグ付きユーザフレームを、当該エントリのＵＮＩポート８０５に登録されたポートへ出力する。
【０２００】
一方、入力されたイーサフレームがイーサＯＡＭフレームであると判定した場合、下りフレーム処理部２０６は、入力されたイーサＯＡＭフレームの情報識別６１５を読み取り、情報識別６１５に低消費電力モードに関するフレームであることを示す１６進数「３０」が登録されているか否かを判定する。情報識別６１５に１６進数「３０」が登録されていると判定した場合、下りフレーム処理部２０６は、入力されたイーサＯＡＭフレームを低消費電力モード判定処理部２０５へ入力する。
【０２０１】
低消費電力モード判定処理部２０５は、入力されたイーサＯＡＭフレームのＳｕｂＯｐＣｏｄｅ６１３を参照し、入力されたイーサＯＡＭフレームが低消費電力モード制御フレームか低消費電力モード通知フレームかを判定する。
【０２０２】
入力されたイーサＯＡＭフレームが低消費電力モード制御フレームである場合、ＶＬＡＮテーブルのうち、当該受信したフレームのＶＩＤ値に対応するエントリに低消費電力モード制御フレームを受信したことを示す情報を登録する。
【０２０３】
一方、入力されたイーサＯＡＭフレームが低消費電力モード通知フレームである場合、低消費電力モード判定処理部２０５は、当該フレームのＶＩＤ９０４によって特定される通信回線のエンド・エンドのＬＯＣ警報の検出を抑制、又は、当該抑制を解除する。
【０２０４】
また、低消費電力モード判定処理部２０５は、ポート８０１及び８０２に備わる受信部２０９Ａ及び２０９Ｂの物理リンク状態監視結果に基づいて、各ポートと各ポートが収容するユーザ端末１０４との物理リンクが切断されたかを検出する。
【０２０５】
低消費電力モード判定処理部２０５は、ユーザ端末１０４との物理リンクが切断されたポートを検出した場合、当該ポートに備わる上りフレーム処理部２０４及びユーザ端末インタフェース部２０８の送信部２１０を無効化し、低消費電力モードへ遷移する。
【０２０６】
また、低消費電力モード判定処理部２０５は、ユーザ端末１０４との物理リンクが切断されたポートに用意された通信回線の識別子の一つを含む低消費電力モード制御フレーム及び低消費電力通知フレームを送信する。この送信処理は、当該ポートに用意されたすべて通信回線の識別子に対応する低消費電力モード制御フレーム及び低消費電力モード通知フレームが送信されるまで実行される。
【０２０７】
また、低消費電力モード判定処理部２０５は、すべてのポートが低消費電力モードへ遷移した場合、アクセス網インタフェース部２００の送信部２０１を無効化する。これは、いずれかのポートがユーザ端末１０４と正常に通信している場合に、アクセス網インタフェース部２００の送信部２０１を無効化してしまうと、当該ユーザ端末１０４はアクセス網１０２へフレームを送信できなくなるためである。
【０２０８】
宅内装置１００Ａは、ポート８０１Ａとユーザ端末１０４Ａとの物理リンクが切断されたことを検出した場合に宅内装置１００Ｂを低消費電力モードへ遷移させる処理について説明する。
【０２０９】
上述したように、宅内装置１００Ａは、ユーザ端末１０４Ａとの物理リンクが切断されたポートＡ８０１Ａに用意された通信回線を含む低消費電力モード制御フレーム及び低消費電力モード通知フレームを送信する。ここでは、ポートＡ８０１には、回線Ａ及びＢが用意されているので、ＶＩＤ９０４に「１０１」を含むフレームと、ＶＩＤ９０４に「１０２」を含むフレームとが送信される。
【０２１０】
なお、ポートＢ８０１Ｂに用意された通信回線の識別子（ＡＮＩ  ＶＩＤ「１１０」）は使用されない
図１１は、本発明の第２の実施形態の低消費電力モード判定処理部２０５によって実行される低消費電力モード制御処理のフローチャートである。
【０２１１】
まず、低消費電力モード判定処理部２０５は、下りフレーム処理部２０６から低消費電力モード制御フレームを受信した場合（１１００）、受信した低消費電力モード制御フレームのペイロード６０５に含まれる動作状態６１６に、低消費電力モードに遷移することを示す識別子（１６進数「０１」）が登録されているか否かを判定する（１１０１）。
【０２１２】
ステップ１１０１の処理で、受信した低消費電力モード制御フレームの動作状態６１６に低消費電力モードに遷移することを示す識別子が登録されていない場合、つまり、通常モードに遷移することを示す識別子（１６進数「００」）が登録されていると判定された場合、低消費電力モード判定処理部２０５は、図１２に示す低消費電力モード解除処理を実行する（１１０２）。
【０２１３】
一方、ステップ１１０１の処理で、受信した低消費電力モード制御フレームの動作状態６１６に低消費電力モードに遷移することを示す識別子が登録されていると判定された場合、低消費電力モード判定処理部２０５は、ＶＬＡＮテーブルに登録されたＶＩＤ値が受信した低消費電力モード制御フレームのＶＩＤ９０４に登録されたＶＩＤ値と一致するエントリの受信フラグを「１」に設定する（１１０３）。
【０２１４】
なお、宅内装置１００が保持するＶＬＡＮテーブルの詳細を図１３に示す。簡単に説明すると、ＶＬＡＮテーブルは、図８Ｂで説明したポート８０５Ａ、ＵＮＩ  ＶＩＤ８０３Ａ、及びＡＮＩ  ＶＩＤ８０４Ａの他に、受信フラグ１３００を含む。受信フラグ１３００には、低消費電力モード制御フレームを受信したことを示す「１」又は低消費電力モード制御フレームを受信していないことを示す「０」が登録される。
【０２１５】
次に、低消費電力モード判定処理部２０５は、受信した低消費電力モード制御フレームのＶＩＤ９０４に登録されたＶＩＤによって特定される通信回線が設定されたポート（以下、対象ポート）を低消費電力モードに遷移させるかを判定するために、ＶＬＡＮテーブルを参照し、当該ポートのすべての受信フラグ１３００に「１」が登録されているか否かを判定する（１１０４）。
【０２１６】
ステップ１１０４の処理で、対象ポートのすべての受信フラグ１３００に「１」が登録されていないと判定された場合、ステップ１１０７の処理に処理を移行する。
【０２１７】
一方、ステップ１１０４の処理で、対象ポートのすべての受信フラグ１３００に「１」が登録されていると判定された場合、低消費電力モード判定処理部２０５は、
対象ポートに設定されたすべての通信回線のＡＮＩ  ＶＩＤ８０４に登録されたＶＩＤを含む低消費電力モード通知フレームを送信する（１１０５）。
【０２１８】
そして、低消費電力モード判定処理部２０５は、対象ポートに備わるユーザ端末インタフェース部２０８の送信部２１０、及び上りフレーム処理部２０４を無効化することによって、対象ポートを低消費電力モードに遷移する（１１０６）。
【０２１９】
次に、低消費電力モード判定処理部２０５は、宅内装置１００に備わるすべてのポートが低消費電力モードに遷移しているか否かを判定する（１１０７）。具体的には、低消費電力モード判定処理部２０５は、ＶＬＡＮテーブルのすべてのＶＩＤ値の受信フラグ１３００に「１」が登録されているか否かを判定する。
【０２２０】
ステップ１１０７の処理で、宅内装置１００に備わるすべてのポートが低消費電力モードに遷移していないと判定された場合、低消費電力モード制御処理を終了する。
【０２２１】
一方、ステップ１１０７の処理で、宅内装置１００に備わるすべてのポートが低消費電力モードに遷移していると判定された場合、低消費電力モード判定処理部２０５は、アクセス網インタフェース部２００の送信部２０１を無効化し（１１０８）、低消費電力モード制御処理を終了する。
【０２２２】
なお、図１１のステップ１１０４の処理では、低消費電力モード判定処理部２０５は、受信した低消費電力モード制御フレームのＶＩＤに対応するポートが低消費電力モードに遷移可能か否かを判定したが、宅内装置１００に備わる各ポートが低消費電量モードに遷移可能か否かを判定してもよい。これによって、各ポートの低消費電力モードへの遷移漏れを防止できる。
【０２２３】
図１２は、本発明の第２の実施形態の低消費電力モード判定処理部２０５によって実行される低消費電力モード解除処理のフローチャートである。
【０２２４】
まず、低消費電力モード判定処理部２０５は、宅内装置１００に備わるすべてのポートが低消費電力モードに遷移しているか否かを判定する（１２００）。具体的には、低消費電力モード判定処理部２０５は、ＶＬＡＮテーブルに登録されたすべてのＶＩＤ値に対応する受信フラグ１３００に「１」が登録されているか否かを判定する。
【０２２５】
ステップ１２００の処理で、すべての受信フラグ１３００に「１」が登録されていない場合、つまり、すべてのポートが低消費電力モードに遷移していないと判定された場合、ステップ１２０２の処理に処理を移行する。
【０２２６】
一方、ステップ１２００の処理で、すべての受信フラグ１３００に「１」が登録されている場合、つまり、すべてのポートが低消費電力モードに遷移していると判定された場合、アクセス網インタフェース部２００の送信部２０１を有効化する（１２０１）。
【０２２７】
次に、低消費電力モード判定処理部２０５は、受信した低消費電力モード制御フレームのＶＩＤ９０４に登録されたＶＩＤによって特定される通信回線が設定されたポート（対象ポート）が低消費電力モードに遷移しているか否かを判定する（１２０２）。
【０２２８】
具体的には、低消費電力モード判定処理部２０５は、ＶＬＡＮテーブルに設定されたＡＮＩ  ＶＩＤ８０４に登録されたＶＩＤ値が受信した低消費電力モード制御フレームのＶＩＤ９０４に登録されたＶＩＤ値と一致するエントリの受信フラグ１３００に「１」が設定されているか否かを判定する。
【０２２９】
ステップ１２０２の処理で、対象ポートが低消費電力モードに遷移していないと判定された場合、ステップ１２０５の処理に処理を移行する。
【０２３０】
ステップ１２０２の処理で、対象ポートが低消費電力モードに遷移していると判定された場合、低消費電力モード判定処理部２０５は、当該対象ポートの低消費電力モードを解除する（１２０３）。具体的には、低消費電力モード判定処理部２０５は、対象ポートに備わるユーザ端末インタフェース部２０８の送信部２１０及び上りフレーム処理部２０４を有効化する。
【０２３１】
次に、低消費電力モード判定処理部２０５は、動作状態６１６に通常モードに遷移することを示す識別子が登録された低消費電力モード通知フレームを送信する（１２０４）。なお、ステップ１２０４で送信される低消費電力モード通知フレームのＶＩＤ９０４には、図１１に示すステップ１１００の処理で受信した低消費電力モード制御フレームのＶＩＤ９０４に登録されたＶＩＤ値が登録される。
【０２３２】
そして、低消費電力モード判定処理部２０５は、ＶＬＡＮテーブルのＡＮＩ  ＶＩＤ８０４に登録されたＶＩＤ値が受信した低消費電力モード制御フレームのＶＩＤ９０４に登録されたＶＩＤ値と一致するエントリの受信フラグ１３００に「０」を登録し（１２０５）、低消費電力モード解除処理を終了する。
【０２３３】
図１３は、本発明の第２の実施形態の宅内装置１００が保持するＶＬＡＮテーブルの説明図である。
【０２３４】
ＶＬＡＮテーブルは、ＡＮＩ  ＶＩＤ８０４、ＵＮＩ  ＶＩＤ８０３、及びＵＮＩポート番号８０５の他に、受信フラグ１３００を含む。
【０２３５】
局装置１０１が宅内装置１００へ通信回線を設定すると、ＶＬＡＮテーブルへＡＮＩ  ＶＩＤ８０４、ＵＮＩ  ＶＩＤ８０３、及びＵＮＩポート番号８０５が設定される。受信フラグ１３００の初期値は「０」とする。
【０２３６】
受信フラグ１３００には、動作状態６１６が低消費電力モードを示す低消費電力モード制御フレームを宅内装置１００が受信した場合は「１」が登録され、 動作状態６１６が通常モードを示す低消費電力モード制御フレームを宅内装置１００が受信した場合は「０」を記録する。
【０２３７】
例えば、宅内装置１００ＡがＡＮＩ  ＶＩＤが「１０１」であって動作状態６１６が低消費電力モードを示す低消費電力モード制御フレームを受信すると、ＶＬＡＮテーブルのＡＮＩ  ＶＩＤ８０４に「１０１」が登録されたエントリの受信フラグ１３００を「１」に設定し、当該低消費電力モード制御フレームを受信していないＡＮＩ  ＶＩＤ８０４が「１０２」及び「１１０」であるエントリの受信フラグ１３００は「０」のままである。
【０２３８】
以上によって、ユーザ端末１０４が通信回線ごとにデータ通信するネットワークシステムにおいて、ユーザ端末１０４との物理リンクが切断された場合、宅内装置１００は、物理リンクが切断されたポートに対応する対向する宅内装置１００のポートを低消費電力モードに遷移させることができる。
【符号の説明】
【０２３９】
１００    宅内装置
１０１    局装置
１０２    アクセス網
１０３    中継網
１０４    ユーザ端末
２００    アクセス網インタフェース部
２０１    送信部
２０２    受信部
２０４    上りフレーム処理部
２０５    低消費電力モード判定処理部
２０６    下りフレーム処理部
２０８    ユーザ端末インタフェース部
２０９    受信部
２０９    送信部
２１０    送信部
２１１    表示部
３００    中継網インタフェース部
３０４    上りフレーム処理部
３０５    低消費電力モード判定処理部
３０６    下りフレーム処理部
３０８    アクセス網インタフェース部
【図１】
0005560443.tif 000002
【図２】
0005560443.tif 000003
【図３】
0005560443.tif 000004
【図４】
0005560443.tif 000005
【図５】
0005560443.tif 000006
【図６】
0005560443.tif 000007
【図７】
0005560443.tif 000008
【図８Ａ】
0005560443.tif 000009
【図８Ｂ】
0005560443.tif 000010
【図９】
0005560443.tif 000011
【図１０】
0005560443.tif 000012
【図１１】
0005560443.tif 000013
【図１２】
0005560443.tif 000014
【図１３】
0005560443.tif 000015